(57)【要約】【課題】発光装置の発光部の輝度分布のばらつきを抑える。【解決手段】複数の第１供給部１１２のそれぞれは、第１電極１１０に電位を供給しており、複数の第２供給部１３２のそれぞれは、第２電極１３０に電位を供給している。各第１供給部１１２は、当該第１供給部１１２自身及び当該第１供給部１１２の外部の少なくとも一方に電気抵抗を有している。同様にして、各第２供給部１３２は、当該第２供給部１３２自身及び当該第２供給部１３２の外部の少なくとも一方に電気抵抗を有している。複数の第１供給部１１２は、発光部１４０を画定する縁に沿って並んでいる。同様にして、複数の第２供給部１３２は、発光部１４０を画定する縁に沿って並んでいる。【選択図】図３
2018206627.tif 000002
【特許請求の範囲】
【請求項１】
第１電極、有機層及び第２電極の積層を含む発光部と、
前記第１電極にそれぞれ電位を供給する複数の第１供給部と、
を備え、
各第１供給部は、当該第１供給部自身及び当該第１供給部の外部の少なくとも一方に電気抵抗を有し、
前記複数の第１供給部のうち、少なくとも１つの前記第１供給部における前記電気抵抗は、他の前記第１供給部における前記電気抵抗と抵抗値が異なることを特徴とする発光装置。
【請求項２】
請求項１に記載の発光装置において、
前記第２電極にそれぞれ電位を供給する複数の第２供給部を備え、
各第２供給部は、当該第２供給部自身及び当該第２供給部の外部の少なくとも一方に電気抵抗を有し、
前記複数の第２供給部は、前記発光部を画定する縁に沿って並んでいる発光装置。
【請求項３】
請求項１又は２に記載の発光装置において、
前記複数の第１供給部における前記電気抵抗は、互いに異なる抵抗値を有する発光装置。
【請求項４】
請求項１から３までのいずれか一項に記載の発光装置において、
前記複数の第１供給部は、第１の第１供給部、第２の第１供給部及び第３の第１供給部を含み、
前記発光部の縁に沿った方向において、前記第２の第１供給部は、前記第１の第１供給部と前記第３の第１供給部の間にあり、
前記縁に沿った方向において、前記第１の第１供給部と前記第２の第１供給部の間の間隔は、前記第２の第１供給部と前記第３の第１供給部の間の間隔と異なる発光装置。
【請求項５】
請求項４に記載の発光装置において、
前記第３の第１供給部における前記電気抵抗の抵抗値は、前記第２の第１供給部における前記電気抵抗の抵抗値より大きい発光装置。
【請求項６】
請求項５に記載の発光装置において、
前記第１の第１供給部における前記電気抵抗の抵抗値は、前記第３第１供給部における前記電気抵抗の抵抗値より大きい発光装置。
【請求項７】
請求項４または６に記載の発光装置において、
前記縁に沿った方向において、前記第１の第１供給部と前記第２の第１供給部の間の間隔は、前記第２の第１供給部と前記第３の第１供給部の間の間隔より短い発光装置。
【請求項８】
請求項１から７までのいずれか一項に記載の発光装置において、
一端及び前記一端とは反対側の他端を有し、前記一端から前記他端にかけて前記縁に沿って延伸する導電部を備える発光装置。
【請求項９】
請求項８に記載の発光装置において、
前記複数の第１供給部のうちの一の第１供給部は、前記導電部の前記一端に接続し、
前記複数の第１供給部のうちの他の一の第１供給部は、前記導電部の前記他端に接続している発光装置。
【請求項１０】
請求項１から９までのいずれか一項に記載の発光装置において、
前記複数の第１供給部は、共通の電源から電位を供給されている発光装置。
【発明の詳細な説明】
【技術分野】
【０００１】
本発明は、発光装置に関する。
【背景技術】
【０００２】
近年、発光装置として、有機発光ダイオード（ＯＬＥＤ）が開発されている。ＯＬＥＤは、第１電極、有機層及び第２電極を有しており、有機層は、第１電極と第２電極の間の電圧によって有機エレクトロルミネッセンス（ＥＬ）による光を発する。
【０００３】
特許文献１には、ＯＬＥＤパネルを湾曲面に取り付けることについて記載されている。ＯＬＥＤパネルは、発光部及び発光部に沿って延伸する端子を有しており、発光部及び端子は、ＯＬＥＤパネルが湾曲面に取り付けられると、湾曲面に沿って湾曲する。特許文献１では、端子の延伸方向における電圧降下による発光部の輝度分布のばらつきを抑えるため、導電体が補助電極として端子に取り付けられている。導電体は弾性を有しており、したがって、導電体は、端子に密着するように湾曲面に沿って取り付けられることができるようになっている。
【０００４】
特許文献２には、円環状のＯＬＥＤについて記載されている。ＯＬＥＤは、円環状の第１電極、円環状の第２電極、第１電極にそれぞれ接続する複数の第１端子及び第２電極にそれぞれ接続する複数の第２端子を有している。複数の第１端子は、第１電極の延伸方向に沿って等間隔に並んでおり、複数の第２端子は、第２電極の延伸方向に沿って等間隔に並んでいる。特許文献２には、複数の第１端子によって第１電極の電圧降下を抑えることができ、複数の第２端子によって第２電極の電圧降下を抑えることができることが記載されている。
【先行技術文献】
【特許文献】
【０００５】
【特許文献１】特開２０１６−２２５２０９号公報
【特許文献２】特開２０１６−１６７４２４号公報
【発明の概要】
【発明が解決しようとする課題】
【０００６】
一般に、ＯＬＥＤパネルの形状の自由度は高く、本発明者は、ＯＬＥＤパネルの形状の自由度を利用することで、さまざまな形状を有するＯＬＥＤの作製について試みた。さらに、本発明者は、補助電極として機能する導電部を発光部の周囲に設けることについて検討し、特に、導電部によって発光部の輝度分布を調節することを検討した。
【０００７】
本発明が解決しようとする課題としては、発光装置の発光部の輝度分布を調節することが一例として挙げられる。
【課題を解決するための手段】
【０００８】
請求項１に記載の発明は、
第１電極、有機層及び第２電極の積層を含む発光部と、
前記第１電極にそれぞれ電位を供給する複数の第１供給部と、
を備え、
各第１供給部は、当該第１供給部自身及び当該第１供給部の外部の少なくとも一方に電気抵抗を有し、
前記複数の第１供給部のうち、少なくとも１つの前記第１供給部における前記電気抵抗は、他の前記第１供給部における前記電気抵抗と抵抗値が異なることを特徴とする発光装置である。
【図面の簡単な説明】
【０００９】
【図１】実施形態に係る発光装置を発光装置の第１面側から見た平面図である。
【図２】図１に示した発光装置を発光装置の第２面側から見た平面図である。
【図３】図２から第２電極を取り除いた図である。
【図４】図３から絶縁層を取り除いた図である。
【図５】図４から第１電極を取り除いた図である。
【図６】図２のＡ−Ａ断面図である。
【図７】図６の変形例を示す図である。
【図８】第１供給部の電気抵抗の第１例を説明するための図である。
【図９】第１供給部の電気抵抗の第２例を説明するための図である。
【図１０】第１供給部の電気抵抗の第３例を説明するための図である。
【図１１】第１供給部の電気抵抗の第４例を説明するための図である。
【図１２】図１から図６に示した発光装置の使用方法の一例を説明するための図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
図１は、実施形態に係る発光装置１０を発光装置１０の第１面１２側から見た平面図である。図２は、図１に示した発光装置１０を発光装置１０の第２面１４側から見た平面図である。図３は、図２から第２電極１３０を取り除いた図である。図４は、図３から絶縁層１５０を取り除いた図である。図５は、図４から第１電極１１０を取り除いた図である。図６は、図２のＡ−Ａ断面図である。
【００１２】
図３を用いて発光装置１０の概要について説明する。発光装置１０は、発光部１４０、複数の第１供給部１１２及び複数の第２供給部１３２を備えている。後述する図６に示すように、発光部１４０は、第１電極１１０、有機層１２０及び第２電極１３０の積層を含んでいる。複数の第１供給部１１２のそれぞれは、第１電極１１０に電位を供給しており、複数の第２供給部１３２のそれぞれは、第２電極１３０に電位を供給している。各第１供給部１１２は、当該第１供給部１１２自身及び当該第１供給部１１２の外部の少なくとも一方に電気抵抗を有している。同様にして、各第２供給部１３２は、当該第２供給部１３２自身及び当該第２供給部１３２の外部の少なくとも一方に電気抵抗を有している。複数の第１供給部１１２は、発光部１４０を画定する縁に沿って並んでいる。同様にして、複数の第２供給部１３２は、発光部１４０を画定する縁に沿って並んでいる。複数の第１供給部１１２のうち少なくとも１つの第１供給部１１２における上述した電気抵抗は、他の第１供給部１１２における上述した電気抵抗と抵抗値が異なっている。同様にして、複数の第２供給部１３２のうち少なくとも１つの第２供給部１３２における上述した電気抵抗は、他の第２供給部１３２における上述した電気抵抗と抵抗値が異なっている。
【００１３】
上述した構成によれば、発光装置１０の発光部１４０の輝度分布を調節することができる。具体的には、上述した構成においては、各第１供給部１１２は、当該第１供給部１１２自身及び当該第１供給部１１２の外部の少なくとも一方に電気抵抗を有しており、複数の第１供給部１１２のうち少なくとも１つの第１供給部１１２における上述した電気抵抗は、他の第１供給部１１２における上述した電気抵抗と抵抗値が異なっている。したがって、各第１供給部１１２の電気抵抗の抵抗値を適宜調節することによって第１電極１１０の電位分布（つまり、発光部１４０の輝度分布）を調節することができる。特に、発光部１４０の輝度分布は、発光部１４０の全体に亘ってほぼ一様になるように調節することができる。同様にして、各第２供給部１３２は、当該第２供給部１３２自身及び当該第２供給部１３２の外部の少なくとも一方に電気抵抗を有しており、複数の第２供給部１３２のうち少なくとも１つの第２供給部１３２における上述した電気抵抗は、他の第２供給部１３２における上述した電気抵抗と抵抗値が異なっている。したがって、各第２供給部１３２の電気抵抗の抵抗値を適宜調節することによって第２電極１３０の電位分布（つまり、発光部１４０の輝度分布）を調節することができる。特に、発光部１４０の輝度分布は、発光部１４０の全体に亘ってほぼ一様になるように調節することができる。
【００１４】
発光装置１０は、様々な用途に応用することができる。一例において、発光装置１０は、自動車のテールランプに用いることができる。他の例において、発光装置１０は、照明装置又は表示装置に用いることもできる。
【００１５】
次に、図１を用いて、基板１００及び発光部１４０の詳細について説明する。
【００１６】
基板１００は、第１端部１０８ａ、第２端部１０８ｂ、内縁１０８ｃ及び外縁１０８ｄを有している。第１端部１０８ａ及び第２端部１０８ｂは、隙間を挟んで互いに対向している。内縁１０８ｃ及び外縁１０８ｄは、第１端部１０８ａから第２端部１０８ｂにかけてハートの形状に沿って延伸している。
【００１７】
発光部１４０は、複数のセクション、特に図１に示す例では、第１セクション１４２及び第２セクション１４４に分離されている。第１セクション１４２及び第２セクション１４４は、電気的に互いに絶縁されており、したがって、第１セクション１４２における発光のオン又はオフの切り替え及び第２セクション１４４における発光のオン又はオフの切り替えは、互いに独立に制御することができる。第１セクション１４２及び第２セクション１４４を同じ色の光を発してもよいし、又は互いに異なる色の光を発してもよい。
【００１８】
図１に示す例において、発光部１４０は、内縁１０８ｃ及び外縁１０８ｄのうちの一方から他方に向かう方向に沿って複数のセクション（第１セクション１４２及び第２セクション１４４）に分離されている。他の例において、発光部１４０は、第１端部１０８ａ及び第２端部１０８ｂのうちの一方から他方にかけての発光装置１０の長さ方向に沿って複数のセクションに分離されていてもよい。さらに他の例において、発光部１４０は、複数のセクションに分離されていなくてもよい。
【００１９】
次に、図２から図５を用いて、発光装置１０の平面レイアウトについて説明する。
【００２０】
発光装置１０は、基板１００、２つの第１電極１１０、有機層１２０、第２電極１３０、絶縁層１５０、２つの導電部１７０（導電部１７０ａ及び導電部１７０ｂ）及び封止層２００を備えている。
【００２１】
図５を用いて、２つの導電部１７０（導電部１７０ａ及び導電部１７０ｂ）の詳細を説明する。
【００２２】
導電部１７０ａは、基板１００の内縁１０８ｃに沿って延伸しており、導電部１７０ｂは、基板１００の外縁１０８ｄに沿って延伸している。つまり、導電部１７０ａ及び導電部１７０ｂは、発光部１４０と重ならないようになっている。
【００２３】
導電部１７０の上述したレイアウトによれば、発光装置１０の美観が導電部１７０によって損なわれることを防ぐことができる。具体的には、導電部１７０は、遮光性材料を含んでおり、透光性を有していない。したがって、仮に、導電部１７０が発光部１４０と重なると、発光装置１０を発光させたとき、発光部１４０のうちの導電部１７０と重なる領域は、導電部１７０によって光が遮断されるために非発光部となり、発光装置１０の美観を損なうおそれがある。図５に示す例では、発光部１４０と重なる導電部が設けられておらず、特に、導電部１７０ａ及び導電部１７０ｂは、発光部１４０の外縁に沿って延伸している。したがって、発光装置１０の美観が導電部１７０によって損なわれることを防ぐことができる。
【００２４】
特に図５に示す例において、各導電部１７０は、一端及びこの一端とは反対側の他端を有しており、一端から他端にかけて発光部１４０の縁に沿って延伸している。つまり、各導電部１７０の一端及び他端は、互いに離間している。さらに、複数の第１供給部１１２のうちの一の第１供給部１１２は、導電部１７０の一端に接続しており、複数の第１供給部１１２のうちの他の一の第１供給部１１２は、導電部１７０の他端に接続している。
【００２５】
導電部１７０は、低抵抗材料を含んでおり、かつ複数の位置（すなわち、複数の第１供給部１１２）から電位を供給されている。したがって、導電部１７０の延伸方向における電圧降下を抑えることができる。特に図５に示す例では、導電部１７０ａは、基板１００の第１端部１０８ａに沿って配置された第１供給部１１２、基板１００の内縁１０８ｃに沿って配置された第１供給部１１２及び基板１００の第２端部１０８ｂに沿って配置された第１供給部１１２から電位を供給されることができ、導電部１７０ｂは、基板１００の第１端部１０８ａに沿って配置された第１供給部１１２、基板１００の外縁１０８ｄに沿って配置された第１供給部１１２及び基板１００の第２端部１０８ｂに沿って配置された第１供給部１１２から電位を供給されることができる。
【００２６】
図４を用いて、２つの第１電極１１０の詳細を説明する。
【００２７】
２つの第１電極１１０は、基板１００の内縁１０８ｃ及び外縁１０８ｄのうちの一方から他方に向かう方向に並んでいる。内縁１０８ｃ側の第１電極１１０は、導電部１７０ａ（図５）に電気的に接続しており、外縁１０８ｄ側の第１電極１１０は、導電部１７０ｂ（図５）に電気的に接続している。
【００２８】
第１電極１１０の上述したレイアウトによれば、発光部１４０の第１セクション１４２及び第２セクション１４４（例えば、図１）を互いに電気的に絶縁させることができる。具体的には、２つの第１電極１１０は、電気的に互いに絶縁されている。内縁１０８ｃ側の第１電極１１０は、発光部１４０の第１セクション１４２を構成し（例えば、図３）、外縁１０８ｄ側の第１電極１１０は、発光部１４０の第２セクション１４４を構成する（例えば、図３）。したがって、第１セクション１４２及び第２セクション１４４を電気的に互いに絶縁させることができる。
【００２９】
第１電極１１０の上述したレイアウトによれば、発光部１４０の輝度分布のばらつきを抑えることができる。具体的には、第１電極１１０は、透光性を有する比較的高抵抗の導電性材料、すなわち、電圧降下の生じやすい材料を含んでいる。図４に示す例では、２つの第１電極１１０を内縁１０８ｃ及び外縁１０８ｄのうちの一方から他方に向かう方向に並べることで、内縁１０８ｃ及び外縁１０８ｄのうちの一方から他方に向かう方向における各第１電極１１０の長さを短くすることができる。したがって、内縁１０８ｃ及び外縁１０８ｄのうちの一方から他方に向かう方向における第１電極１１０の電圧降下を抑えることができ、これによって、発光部１４０の輝度分布のばらつきを抑えることができる。
【００３０】
図３を用いて、絶縁層１５０及び有機層１２０の詳細を説明する。
【００３１】
絶縁層１５０は、複数の開口、すなわち、第１開口１５２及び第２開口１５４を有している。第１開口１５２は、基板１００の内縁１０８ｃ側の第１電極１１０を露出しており、第２開口１５４は、基板１００の外縁１０８ｄ側の第１電極１１０を露出している。このようにして、第１開口１５２は、発光部１４０の第１セクション１４２を画定し、第２開口１５４は、発光部１４０の第２セクション１４４を画定している。
【００３２】
有機層１２０は、基板１００の内縁１０８ｃ及び外縁１０８ｄのうちの一方から他方に亘って広がっており、特に、基板１００の内縁１０８ｃ側の第１電極１１０及び基板１００の外縁１０８ｄ側の第１電極１１０の双方を覆っている。
【００３３】
図２を用いて、第２電極１３０及び封止層２００の詳細を説明する。
【００３４】
第２電極１３０は基板１００の内縁１０８ｃ及び外縁１０８ｄのうちの一方から他方に亘って広がっており、特に、基板１００の内縁１０８ｃ側の第１電極１１０（図３及び図４）及び基板１００の外縁１０８ｄ側の第１電極１１０（図３及び図４）の双方を覆っている。
【００３５】
第２電極１３０は、複数の位置（すなわち、第２供給部１３２）から電位を供給されている。したがって、第２電極１３０内での電位のばらつきを抑えることができる。特に図４に示す例では、第２電極１３０は、基板１００の第１端部１０８ａに沿って配置された第２供給部１３２、基板１００の内縁１０８ｃに沿って配置された第２供給部１３２、基板１００の第２端部１０８ｂに沿って配置された第２供給部１３２及び基板１００の外縁１０８ｄに沿って配置された第２供給部１３２から電位を供給されることができる。
【００３６】
封止層２００は、第２電極１３０の外側まで広がっており、封止層２００の外縁は、基板１００の第１端部１０８ａ、内縁１０８ｃ、第２端部１０８ｂ及び外縁１０８ｄに沿って延伸している。
【００３７】
次に、図６を用いて、発光装置１０の断面の詳細について説明する。
【００３８】
発光装置１０は、基板１００、第１電極１１０、有機層１２０、第２電極１３０、絶縁層１５０、導電部１７０、封止層２００、支持基板３００及び接着層３１０を備えている。
【００３９】
発光装置１０は、第１面１２及び第２面１４を有している。図６に示す例において、発光装置１０は、ボトムエミッションタイプのＯＬＥＤであり、発光部１４０から発せられた光は、第１面１２側、つまり、基板１００側から光を発する。他の例において、発光装置１０は、トップエミッションタイプのＯＬＥＤであってもよく、発光部１４０から発せられた光は、第２面１４側、つまり第１面１２とは反対側から発せられてもよい。以下、本実施形態では、発光装置１０はボトムエミッションタイプのＯＬＥＤであるとして説明を行う。
【００４０】
基板１００は、第１面１０２及び第２面１０４を有している。第１電極１１０、有機層１２０及び第２電極１３０は、基板１００の第１面１０２から順に重なっており、発光部１４０を構成している。第２面１０４は、第１面１０２の反対側にあり、発光装置１０の第１面１２となっている。つまり、基板１００の第１面１０２側の発光部１４０から生じた光は、基板１００を透過して、基板１００の第２面１０４（発光装置１０の第１面１２）から出射される。
【００４１】
基板１００は、可撓性を有していてもよいし、又は有していなくてもよい。特に基板１００が可撓性を有する場合、発光装置１０（つまり、基板１００）を部分的に、湾曲させ、又は折り曲げることができる。
【００４２】
基板１００は、透光性を有する絶縁材料を含んでいる。一例において、基板１００は、ガラス基板である。他の例において、基板１００は、樹脂基板であってもよく、ＰＥＮ（ポリエチレンナフタレート）、ＰＥＳ（ポリエーテルサルホン）、ＰＥＴ（ポリエチレンテレフタラート）又はポリイミドを含んでいてもよい。基板１００の第１面１０２及び第２面１０４の少なくとも一方には、無機バリア層（例えば、ＳｉＮｘ層、ＳｉＯＮ層、ＳｉＯ２層、Ａｌ２Ｏ３層、ＴｉＯｘ層又はＨｆＯ層）が形成されていてもよい。
【００４３】
第１電極１１０は、透光性及び導電性を有する材料、一例において、金属酸化物、より具体的には、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）又はＺｎＯ（Ｚｉｎｃ  Ｏｘｉｄｅ）を含んでいる。他の例において、第１電極１１０は、導電性有機材料、より具体的には、カーボンナノチューブ又はＰＥＤＯＴ／ＰＳＳを含んでいてもよい。
【００４４】
有機層１２０は、有機エレクトロルミネッセンス（ＥＬ）により光を発することができる。一例において、有機層１２０は、正孔注入層（ＨＩＬ）、正孔輸送層（ＨＴＬ）、発光層（ＥＭＬ）、電子輸送層（ＥＴＬ）及び電子注入層（ＥＩＬ）を含んでいる。この例では、第１電極１１０からＨＩＬ及びＨＴＬを経由して正孔がＥＭＬに注入され、第２電極１３０からＥＩＬ及びＥＴＬを経由して電子がＥＭＬに注入され、正孔及び電子がＥＭＬにおいて再結合して光が発せられる。
【００４５】
第２電極１３０は、光反射性及び導電性を有する材料、一例において、金属、より具体的には、Ａｌ、Ａｕ、Ａｇ、Ｐｔ、Ｍｇ、Ｓｎ、Ｚｎ及びＩｎからなる群の中から選択される金属又はこの群から選択される金属の合金を含んでいる。
【００４６】
絶縁層１５０は、発光部１４０を画定している。具体的には、発光部１４０の第１セクション１４２及び第２セクション１４４のそれぞれは、第１電極１１０、有機層１２０及び第２電極１３０の積層体を含んでいる。特に図６に示す例では、絶縁層１５０の第１開口１５２内において、第１電極１１０、有機層１２０及び第２電極１３０が順に重ねられて第１セクション１４２を構成しており、絶縁層１５０の第２開口１５４内において、第１電極１１０、有機層１２０及び第２電極１３０が順に重ねられて第２セクション１４４を構成している。
【００４７】
絶縁層１５０は、有機材料、より具体的には、感光性樹脂の硬化物（例えば、ポリイミド）を含んでいる。つまり、絶縁層１５０は、感光性樹脂を光（例えば、紫外線）によって硬化させることで形成することができる。他の例において、絶縁層１５０は、無機材料、例えば、ＳｉＯ２又はＳｉＯＮを含んでいてもよい。
【００４８】
導電部１７０は、基板１００の第１面１０２側に位置していて、第１電極１１０によって覆われている。導電部１７０は、第１電極１１０に含まれる材料よりも低抵抗の材料を含んでいる。したがって、導電部１７０は、第１電極１１０の補助電極として機能することができる。他の例において、導電部１７０は、第１電極１１０によって覆われていなくてもよく、第１電極１１０上にあって絶縁層１５０によって覆われていてもよい。
【００４９】
導電部１７０は、低抵抗材料、一例において、金属、より具体的には、Ａｌ、Ａｇ、Ｍｏからなる群の中から選択される金属又はこの群から選択される金属の合金を含んでいる。一の詳細な例において、導電部１７０は、ＡＰＣ（ＡｇＰｄＣｕ）を含んでいる。他の詳細な例において、導電部１７０は、ＭＡＭ（Ｍｏ／Ａｌ／Ｍｏ）、Ｎｉ／Ａｌ／Ｎｉ又はＣｒ／Ａｌ／Ｃｒであってもよい。
【００５０】
封止層２００は、基板１００の第１面１０２及び発光部１４０を封止している。特に図６に示す例では、封止層２００は、絶縁層１５０の外側において、基板１００の第１面１０２に接している。したがって、有機層１２０及び第２電極１３０を劣化させる物質（例えば、水又は空気）が絶縁層１５０の側方から侵入することを抑えることができる。
【００５１】
封止層２００は、一例において、無機バリア層、より具体的には、ＳｉＮｘ、ＳｉＯＮ、Ａｌ２Ｏ３、ＴｉＯ２、ＳｉＯ２及びＳｉＯＣの少なくとも一つを含んでいる。無機バリア層は、一例において、ＡＬＤ（Ａｔｏｍｉｃ  Ｌａｙｅｒ  Ｄｅｐｏｓｉｔｉｏｎ）、スパッタ又はＣＶＤ（Ｃｈｅｍｉｃａｌ  Ｖａｐｏｒ  Ｄｅｐｏｓｉｔｉｏｎ）によって形成することができる。
【００５２】
支持基板３００は、基板１００の形状を支持するための部材として機能している。基板１００は、可撓性に優れており、したがって、基板１００を部分的に、湾曲させ、又は折り曲げることができる。一方、基板１００はその可撓性によって容易に変形する。したがって、基板１００の形状を一定に保つため、ある程度硬質な部材、すなわち、支持基板３００が必要となる。
【００５３】
支持基板３００は、基板１００の第１面１０２及び発光部１４０を封止するための部材（封止基板）としてさらに機能していてもよい。
【００５４】
支持基板３００は、第１面３０２及び第２面３０４を有している。支持基板３００は、第１面３０２が発光部１４０を挟んで基板１００の第１面１０２に対向するように接着層３１０を介して基板１００に取り付けられている。第２面３０４は、第１面３０２の反対側にあって、発光装置１０の第２面１４となっている。
【００５５】
図７は、図６の変形例を示す図である。図７に示す例において、発光装置１０は、封止層２００（図６）に代えて、封止部２１０、接着層２１２及び乾燥剤２１４を備えている。封止部２１０は、金属基板、樹脂基板又はガラス基板であり、封止部２１０の端部は折り曲げられている。封止部２１０は、接着層２１２を介して基板１００の第１面１０２に取り付けられており、発光部１４０を覆っている。乾燥剤２１４は、封止部２１０と接着層２１２の間に位置している。
【００５６】
図８は、第１供給部１１２の電気抵抗の第１例を説明するための図である。図８においては、説明のため、図１から図６における第１供給部１１２を直線状に示している。
【００５７】
導電部１７０の延伸方向に沿って、複数の第１供給部１１２、すなわち、供給部１１２ａ（第１の第１供給部）、供給部１１２ｂ（第２の第１供給部）及び供給部１１２ｃ（第３の第１供給部）が並んでいる。導電部１７０の延伸方向（図１から図６に示した例において、発光部１４０を画定する縁に沿った方向）において、供給部１１２ｂは、供給部１１２ａと供給部１１２ｃの間にあり、供給部１１２ａと供給部１１２ｂの間の間隔は、供給部１１２ｂと供給部１１２ｃの間の間隔と異なっている。特に図８に示す例において、供給部１１２ｂと供給部１１２ｃの間の間隔は、供給部１１２ｂと供給部１１２ｃの間の間隔より短くなっている。
【００５８】
図８に示す例では、複数の第１供給部１１２は、導電部１７０と一体となっている。したがって、複数の第１供給部１１２を導電部１７０と同一プロセスで形成することが可能である。他の例において、複数の第１供給部１１２は、導電部１７０と一体でなくてもよい。
【００５９】
複数の第１供給部１１２は、複数の第１接続部材４１２のそれぞれを介して共通の電源（第１電源４１０）から電位を供給されている。特に図８に示す例では、供給部１１２ａ、供給部１１２ｂ及び供給部１１２ｃは、それぞれ、接続部材４１２ａ、接続部材４１２ｂ及び接続部材４１２ｃを介して第１電源４１０から電位を供給されている。したがって、導電部１７０に電位を与えるための電源の数を抑えることができ、図１から図６に示した発光装置１０を駆動させるためのコストを抑えることができる。
【００６０】
複数の第１接続部材４１２のそれぞれは、第１電源４１０を複数の第１供給部１１２のそれぞれに電気的に接続している。一例において、第１接続部材４１２は、ＦＰＣ（Ｆｌｅｘｉｂｌｅ  Ｐｒｉｎｔｅｄ  Ｃｉｒｃｕｉｔ）である。
【００６１】
図８に示す例では、各第１供給部１１２は、当該第１供給部１１２自身に電気抵抗を有している。
【００６２】
供給部１１２ｂ自体の電気抵抗の抵抗値は、供給部１１２ａ自体の電気抵抗の抵抗値及び供給部１１２ｃ自体の電気抵抗の抵抗値のいずれよりも小さくなっている。これによって、供給部１１２ａと供給部１１２ｂの間の電流量と供給部１１２ｂと供給部１１２ｃの間の電流量のばらつき（つまり、発光部１４０（例えば、図１）の輝度のばらつき）を抑えることができる。具体的には、供給部１１２ａは供給部１１２ｂ側にのみ電流を供給し、供給部１１２ｃは供給部１１２ｂ側にのみ電流を供給するのに対して、供給部１１２ｂは、供給部１１２ａ側及び供給部１１２ｂ側の双方に電流を供給する。したがって、供給部１１２ａと供給部１１２ｂの間の電流量と供給部１１２ｂと供給部１１２ｃの間の電流量のばらつきを抑えるためには、供給部１１２ｂ自体の電気抵抗の抵抗値が供給部１１２ａ自体の電気抵抗の抵抗値及び供給部１１２ｃ自体の電気抵抗の抵抗値のいずれよりも小さくなっている必要がある。
【００６３】
供給部１１２ｃ自体の電気抵抗の抵抗値は、供給部１１２ａ自体の電気抵抗の抵抗値より小さくなっている。これによって、供給部１１２ａと供給部１１２ｂの間の電流量と供給部１１２ｂと供給部１１２ｃの間の電流量のばらつき（つまり、発光部１４０（例えば、図１）の輝度のばらつき）を抑えることができる。具体的には、供給部１１２ｃと供給部１１２ｂの間隔は、供給部１１２ａと供給部１１２ｂの間隔より狭くなっている。したがって、供給部１１２ａと供給部１１２ｂの間の電流量と供給部１１２ｂと供給部１１２ｃの間の電流量のばらつきを抑えるためには、供給部１１２ｃ自体の電気抵抗の抵抗値が供給部１１２ａ自体の電気抵抗の抵抗値より小さくなっている必要がある。
【００６４】
一例において、導電部１７０に流れる電流を制御するため、供給部１１２ｂ自体の電気抵抗の抵抗値は、供給部１１２ａ自体の電気抵抗及び供給部１１２ｃ自体の電気抵抗を並列に接続したときの合成抵抗の抵抗値としてもよい。
【００６５】
第１供給部１１２自体の電気抵抗は、第１供給部１１２の条件、例えば、各第１供給部１１２の形状及び各第１供給部１１２に含まれる材料によって調節可能である。特に図８に示す例では、供給部１１２ａの幅は、供給部１１２ｃの幅より狭くなっており、したがって、供給部１１２ａ自体の電気抵抗の抵抗値は、供給部１１２ｃ自体の電気抵抗の抵抗値より大きくなっており、さらに、供給部１１２ｃの幅は、供給部１１２ｂの幅より狭くなっており、したがって、供給部１１２ｃ自体の電気抵抗の抵抗値は、供給部１１２ｂ自体の電気抵抗の抵抗値より大きくなっている。
【００６６】
図９は、第１供給部１１２の電気抵抗の第２例を説明するための図である。図９に示す例は、以下の点を除いて、図８に示した例と同様である。
【００６７】
図９に示す例では、各第１供給部１１２は、当該第１供給部１１２の外部に電気抵抗を有している。具体的には、複数の第１供給部１１２のそれぞれは、当該第１供給部１１２の外部に第１接続部材４１２の電気抵抗を有している。より具体的には、供給部１１２ａは、当該供給部１１２ａの外部に接続部材４１２ａの電気抵抗を有し、供給部１１２ｂは、当該供給部１１２ｂの外部に接続部材４１２ｂの電気抵抗を有し、供給部１１２ｃは、当該供給部１１２ｃの外部に接続部材４１２ｃの電気抵抗を有している。
【００６８】
供給部１１２ａの幅、供給部１１２ｂの幅及び供給部１１２ｃの幅は、互いに等しくなっている。したがって、供給部１１２ａ自体の電気抵抗、供給部１１２ｂ自体の電気抵抗及び供給部１１２ｃ自体の電気抵抗は、互いに等しい抵抗値を有している。
【００６９】
接続部材４１２ｂの電気抵抗の抵抗値は、接続部材４１２ａの電気抵抗の抵抗値及び接続部材４１２ｃの電気抵抗の抵抗値のいずれよりも小さくなっている。これによって、図８に示した例と同様にして、供給部１１２ａと供給部１１２ｂの間の電流量と供給部１１２ｂと供給部１１２ｃの間の電流量のばらつき（つまり、発光部１４０（例えば、図１）の輝度のばらつき）を抑えることができる。
【００７０】
接続部材４１２ｃの電気抵抗の抵抗値は、接続部材４１２ａの電気抵抗の抵抗値より小さくなっている。これによって、図８に示した例と同様にして、供給部１１２ａと供給部１１２ｂの間の電流量と供給部１１２ｂと供給部１１２ｃの間の電流量のばらつき（つまり、発光部１４０（例えば、図１）の輝度のばらつき）を抑えることができる。
【００７１】
第２例では第１供給部１１２の外部に電気抵抗をもつ例として第１接続部材４１２をあげたが、これに限定されるものではない。第１供給部１１２の外部とは、発光装置１０の内部に含まれず、第１供給部と電気的に接続してあるものであればよい。
【００７２】
図１０は、第１供給部１１２の電気抵抗の第３例を説明するための図である。図１０に示す例は、以下の点を除いて、図８に示した例と同様である。
【００７３】
供給部１１２ａ、供給部１１２ｂ及び供給部１１２ｃは、等間隔に並んでいる。
【００７４】
図８を用いて説明した理由と同様にして、供給部１１２ｂ自体の電気抵抗の抵抗値は、供給部１１２ａ自体の電気抵抗の抵抗値及び供給部１１２ｃ自体の電気抵抗の抵抗値のいずれよりも小さくなっている。
【００７５】
図８に示した例とは異なり、供給部１１２ａ自体の電気抵抗の抵抗値と供給部１１２ｃ自体の電気抵抗の抵抗値は、互いに等しくなっている。これによって、供給部１１２ａと供給部１１２ｂの間の電流量と供給部１１２ｂと供給部１１２ｃの間の電流量のばらつき（つまり、発光部１４０（例えば、図１）の輝度のばらつき）を抑えることができる。具体的には、供給部１１２ａと供給部１１２ｂの間隔は、供給部１１２ｃと供給部１１２ｂの間隔と等しくなっている。したがって、供給部１１２ａと供給部１１２ｂの間の電流量と供給部１１２ｂと供給部１１２ｃの間の電流量のばらつきを抑えるためには、供給部１１２ａ自体の電気抵抗の抵抗値と供給部１１２ｃ自体の電気抵抗の抵抗値が互いに等しくなっている必要がある。
【００７６】
特に図１０に示す例では、供給部１１２ａの幅と供給部１１２ｃの幅は互いに等しくなっている。したがって、供給部１１２ａ自体の電気抵抗の抵抗値と供給部１１２ｃ自体の電気抵抗の抵抗値は、互いに等しくなっている。さらに、供給部１１２ｂの幅は供給部１１２ａの幅及び供給部１１２ｃの幅のいずれよりも広くなっている。したがって、供給部１１２ｂ自体の電気抵抗の抵抗値は、供給部１１２ａ自体の電気抵抗の抵抗値及び供給部１１２ｃ自体の電気抵抗の抵抗値よりも小さくなっている。
【００７７】
図１１は、第１供給部１１２の電気抵抗の第４例を説明するための図である。図１１に示す例は、以下の点を除いて、図９に示した例と同様である。
【００７８】
図１０に示した例と同様にして、供給部１１２ａ、供給部１１２ｂ及び供給部１１２ｃは、等間隔に並んでいる。
【００７９】
図９を用いて説明した理由と同様にして、接続部材４１２ｂの電気抵抗の抵抗値は、接続部材４１２ａの電気抵抗の抵抗値及び接続部材４１２ｃの電気抵抗の抵抗値のいずれよりも小さくなっている。
【００８０】
図９に示した例とは異なり、接続部材４１２ａの電気抵抗の抵抗値と接続部材４１２ｃの電気抵抗の抵抗値は、互いに等しくなっている。これによって、供給部１１２ａと供給部１１２ｂの間の電流量と供給部１１２ｂと供給部１１２ｃの間の電流量のばらつき（つまり、発光部１４０（例えば、図１）の輝度のばらつき）を抑えることができる。具体的には、供給部１１２ａと供給部１１２ｂの間隔は、供給部１１２ｃと供給部１１２ｂの間隔と等しくなっている。したがって、供給部１１２ａと供給部１１２ｂの間の電流量と供給部１１２ｂと供給部１１２ｃの間の電流量のばらつきを抑えるためには、接続部材４１２ａの電気抵抗の抵抗値と接続部材４１２ｃの電気抵抗の抵抗値が互いに等しくなっている必要がある。
【００８１】
なお、図８から図１１までに示す例における発光部１４０の輝度分布の調節は、発光部１４０の輝度分布のばらつきを抑えるために行われている。しかしながら、発光部１４０の輝度分布の調節は、発光部１４０の輝度分布のばらつきを抑えることとは異なる目的、例えば、特定の領域の輝度を他の領域の輝度よりも意図的に高くし、又は低くするために行われてもよい。
【００８２】
次に、図１から図６に示した発光装置１０の製造方法の一例について説明する。
【００８３】
まず、基板１００を準備する。基板１００は、発光部１４０の形成前に、図１から図６に示した形状に加工してもよいし、又は発光部１４０の形成後に、図１から図６に示した形状に加工してもよい。
【００８４】
次いで、基板１００の第１面１０２側に複数の第１供給部１１２、複数の第２供給部１３２及び導電部１７０を形成する。一例において、複数の第１供給部１１２、複数の第２供給部１３２及び導電部１７０は、スパッタにより堆積された導電層をパターニングすることによって形成することができる。この例においては、複数の第１供給部１１２、複数の第２供給部１３２及び導電部１７０を同一プロセスで形成することができる。
【００８５】
次いで、基板１００の第１面１０２側に第１電極１１０を形成する。一例において、第１電極１１０は、透明導電層をパターニングすることによって形成することができる。
【００８６】
次いで、基板１００の第１面１０２側及び第１電極１１０の一部を覆うように絶縁層１５０を形成する。一例において、絶縁層１５０は、感光性樹脂をパターニングすることによって形成することができる。
【００８７】
次いで、第１電極１１０及び絶縁層１５０を覆うように有機層１２０を形成する。一例において、有機層１２０は、塗布プロセスによって形成することができる。他の例において、有機層１２０は、マスクを用いた蒸着によって形成することもできる。
【００８８】
次いで、有機層１２０を覆うように第２電極１３０を形成する。一例において、第２電極１３０は、マスクを用いた蒸着によって形成することもできる。
【００８９】
次いで、第２電極１３０を覆うように封止層２００を形成する。一例において、封止層２００は、ＡＬＤによって形成することができる。
【００９０】
次いで、接着層３１０を介して支持基板３００と基板１００を貼り合わせる。
【００９１】
このようにして、図１から図６に示した発光装置１０が製造される。
【００９２】
図１２は、図１から図６に示した発光装置１０の使用方法の一例を説明するための図である。
【００９３】
一の発光装置１０（第１発光装置１０ａ）と他の発光装置１０（第２発光装置１０ｂ）が互いに重なっており、特に図１２に示す例では、第１発光装置１０ａと第２発光装置１０ｂが互いに連結している。第１発光装置１０ａは、第２発光装置１０ｂの第１端部１０８ａと第２端部１０８ｂの間の隙間を通して第２発光装置１０ｂの内縁１０８ｃによって囲まれた開口に通すことができる。
【００９４】
図１２に示す例においては、一の発光装置１０の第１供給部１１２及び第２供給部１３２（図１２において不図示）を目立たなくさせるため、一の発光装置１０の第１供給部１１２及び第２供給部１３２を他の発光装置１０の背後に隠れるように配置させることができる。一方、この場合、第１供給部１１２及び第２供給部１３２の位置は、発光装置１０の形状によって制約されることになる。本実施形態では、第１供給部１１２及び第２供給部１３２の位置が制約されても、第１供給部１１２及び第２供給部１３２の上述した電気抵抗の抵抗値を適宜調節することによって、発光装置１０の発光部１４０の輝度分布を調節することができる。
【００９５】
また、図１２では第１発光装置１０ａと第２発光装置１０ｂのＯＬＥＤパネルは同様なものを用いたが、異なる形状の複数の発光装置を重ねたり、連結してもよい。
【００９６】
以上、本実施形態によれば、発光装置１０の発光部１４０の輝度分布のばらつきを抑えることができる。
【００９７】
以上、図面を参照して実施形態及び実施例について述べたが、これらは本発明の例示であり、上記以外の様々な構成を採用することもできる。
【符号の説明】
【００９８】
１０  発光装置
１２  第１面
１４  第２面
１００  基板
１０２  第１面
１０４  第２面
１０８ａ  第１端部
１０８ｂ  第２端部
１０８ｃ  内縁
１０８ｄ  外縁
１１０  第１電極
１１２  第１供給部
１１２ａ  供給部
１１２ｂ  供給部
１１２ｃ  供給部
１２０  有機層
１３０  第２電極
１３２  第２供給部
１４０  発光部
１４２  第１セクション
１４４  第２セクション
１５０  絶縁層
１５２  第１開口
１５４  第２開口
１７０  導電部
１７０ａ  導電部
１７０ｂ  導電部
２００  封止層
２１０  封止部
２１２  接着層
２１４  乾燥剤
３００  支持基板
３０２  第１面
３０４  第２面
３１０  接着層
４１０  第１電源
４１２  第１接続部材
４１２ａ  接続部材
４１２ｂ  接続部材
４１２ｃ  接続部材
【図１】
2018206627.tif 000003
【図２】
2018206627.tif 000004
【図３】
2018206627.tif 000005
【図４】
2018206627.tif 000006
【図５】
2018206627.tif 000007
【図６】
2018206627.tif 000008
【図７】
2018206627.tif 000009
【図８】
2018206627.tif 000010
【図９】
2018206627.tif 000011
【図１０】
2018206627.tif 000012
【図１１】
2018206627.tif 000013
【図１２】
2018206627.tif 000014